(57)【要約】      （修正有）【課題】展開角度を調整可能に立設できると共に、部品をそれぞれ取り外すことにより簡単に収納することができる雪囲いを提供する。【解決手段】間隔をおいて互いに立設される支持部材１と、該各支持部材１において横方向に跨ぐように設置される複数の横木２とを有し、その内、該各支持部材１はそれぞれ、上端が枢設される２本の支持柱１０により構成する。また、該支持柱１０は、外側面に突縁部が凸設される柱体と、長手方向に沿って間隔をおいて複数の設置孔が形成される保持部材とを備え、該複数の横木２はそれぞれ、該各支持部材１における対応する設置孔に嵌設される。さらに、該各横木２の両端近傍の内側面に、対応する前記柱体の突縁部をはめ込むための係合溝を設ける。【選択図】図１
0003171516.tif 000002
【実用新案登録請求の範囲】
【請求項１】
間隔をおいて互いに立設される支持部材と、該各支持部材において横方向に跨ぐように設置される複数の横木とを有し、
前記各支持部材はそれぞれ、上端が枢設される２本の支持柱から構成され、該支持柱は、柱体及び保持部材を備え、その内、該柱体は、外側面に突縁部が凸状に設けられており、該保持部材は、該柱体の外側面に当接するために、長手方向に沿って間隔をおいて複数の設置孔が形成される固定板と、該柱体の外側面と固定板の内側面に当接される少なくとも１つのばねと、該固定板を通って、対応するばねを貫通して該柱体に螺合される少なくとも１つの固定ボルトとを備え、
前記複数の横木はそれぞれ、前記各支持部材における固定板の対応する設置孔に嵌設されると共に、該各横木の両端近傍の内側面に、対応する前記柱体の突縁部をはめ込むための係合溝が形成されていることを特徴とする雪囲い。
【請求項２】
前記固定板が前記柱体の外側面に対して断面Ｕ字形を呈すると共に、前記設置孔が前記固定板の両側面の対応する位置にそれぞれ形成されていることを特徴とする請求項１に記載の雪囲い。
【請求項３】
前記柱体の底端に開口が形成されると共に、下端近傍に調整孔が形成され、
さらに、前記柱体の底端の開口に移動可能に足部が挿設され、該足部は、長手方向に沿って間隔をおいて複数の位置決め孔が形成される棒体と、該柱体の調整孔を通って選択可能に1つの該位置決め孔に螺合される調整ボルトとを有することを特徴とする請求項１又は２に記載の雪囲い。
【請求項４】
前記棒体の上方の固定ボルトを収容するために、該棒体上部にＵ字形に切り欠いた収容凹部が形成されていることを特徴とする請求項３に記載の雪囲い。
【考案の詳細な説明】
【技術分野】
【０００１】
本考案は、特に展開角度を調整可能であると共に、組み立て式であることから、簡単に組み立てられると共に、取り外して簡単に収納することもできる雪囲いに関するものである。
【背景技術】
【０００２】
雪囲いとは、芝や樹木などの植物を覆うことができ、雪の重さ及び寒さなどを防いで植物を守るための庭園道具である。
【０００３】
図９に示すように、従来の雪囲いは、全体が三角枠形状を呈するように、上端付近が枢設され、間隔をおいて立設される２つの支持柱９３からなる支持部材９１を有し、その左右２つの支持柱９３を跨ぐように、該支持部材９１の外側面にそれぞれ間隔をおいて上方から下方に向かって複数の横木９２が設置される。このように、従来の雪囲いは、全体が三角枠形状を呈するように、前記各支持部材９１における２本の支持柱９３が上端で枢設されると共に、下端が地面に当接され、更に、該支持部材９１の支持柱９３に、所定の間隔をおいてクギ９４を用いて複数の横木９２が固定される。
【０００４】
この構造によれば、従来の雪囲いは、芝や樹木などの植物を覆うように、支持部材９１の下端を展開しながら地面に突き刺して植物の上方に立設できることから、降雪時に植物を雪から守ることができる。
【考案の概要】
【考案が解決しようとする課題】
【０００５】
しかしながら、従来の雪囲いは、支持部材の支持柱が所定の長さに決められていると共に、横木がクギを用いて支持部材に固定されることから、芝や樹木などの植物の種類に応じて、高さ又は隣接する横木の隙間を調整することができないので、使用上の利便性に欠けるという問題があった。
【課題を解決するための手段】
【０００６】
本考案に係る雪囲いは、間隔をおいて互いに立設される支持部材と、該各支持部材において横方向に跨ぐように設置される複数の横木とを有し、前記各支持部材はそれぞれ、上端が枢設される２本の支持柱から構成され、該支持柱は、柱体及び保持部材を備え、その内、該柱体は、外側面に突縁部が凸状に設けられており（凸設され）、該保持部材は、該柱体の外側面に当接するために、長手方向に沿って間隔をおいて複数の設置孔が形成される固定板と、該柱体の外側面と固定板の内側面に当接される少なくとも１つのばねと、該固定板を通って、対応するばねを貫通して該柱体に螺合される少なくとも１つの固定ボルトとを備え、前記複数の横木はそれぞれ、前記各支持部材における固定板の対応する設置孔に嵌設されると共に、該各横木の両端近傍の内側面に、対応する前記柱体の突縁部をはめ込むための係合溝が形成されるものである。
【０００７】
前記固定板が前記柱体の外側面に対して断面Ｕ字形を呈すると共に、前記設置孔が前記固定板の両側面の対応する位置にそれぞれ形成されてもよい。
【０００８】
前記柱体の底端に開口が形成されると共に、下端近傍に調整孔が形成され、さらに、前記柱体の底端の開口に移動可能に足部が挿設され、該足部は、長手方向に沿って間隔をおいて複数の位置決め孔が形成される棒体と、該柱体の調整孔を通って選択可能に1つの該位置決め孔に螺合される調整ボルトとを有することが好ましい。
【０００９】
前記棒体の上方の固定ボルトを収容するために、棒体上部にＵ字形に切り欠いた収容凹部が形成されてもよい。
【考案の効果】
【００１０】
本考案は上記の構成を有し、使用時に、支持部材の２つの支持柱の展開角度を調整することができると共に、支持柱の足部により支持部材の高さを調整することができるので、高さや幅の異なる多種の植物に適用することができる。
【図面の簡単な説明】
【００１１】
【図１】本考案に係る雪囲いの斜視図である。
【図２】本考案に係る雪囲いにおける支持柱の分解斜視図である。
【図３】本考案に係る雪囲いにおける支持部材及び横木の分解斜視図である。
【図４】本考案に係る雪囲いの側面図である。
【図５】本考案に係る雪囲いの平面図である。
【図６】本考案に係る雪囲いにおける横木を支持部材に組み付ける状態を示す部分平面断面図である。
【図７】本考案に係る雪囲いにおける横木を支持部材に組み付ける状態を示す部分平面断面図である。
【図８】本考案に係る雪囲いにおける足部を調整する状態を示す部分側面断面図である。
【図９】従来の雪囲いの斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１乃至図３に示すように、本考案に係る雪囲いは、全体が三角枠形状を呈すると共に、間隔をおいて立設される支持部材１と、それぞれ該各支持部材１において横方向に跨ぐように設置される複数の横木２とを有する組み立て式のものである。
【００１４】
前記各支持部材１はそれぞれ、その上端が枢設ボルトを介して互いに枢設される２本の支持柱１０から構成され、該支持柱１０は、柱体１１と、保持部材１２と、足部１３とを備え、その内、該柱体１１は、矩形の中空の棒体であり、上端にフタ１１０が取り付けられると共に、底端に開口が形成され、長手方向の外側面に突縁部１１１が凸設され、中段に少なくとも１つの固定孔１１２が、下端近傍に調整孔１１３が形成される。なお、前記固定孔１１２は、ねじ孔であることが好ましい。
【００１５】
前記保持部材１２は、前記柱体１１の外側面と対応するように、プレートを断面Ｕ字形に形成したものであり、該柱体１１の外側面及び突縁部１１１の側面に当接するように設置され、両側面に、長手方向に沿って間隔をおいて複数の設置孔１２１が形成される固定板１２０と、両端部が該柱体１１の外側面と固定板１２０の内側面に当接される少なくとも１つのばね１２２と、該固定板１２０を通って、対応するばね１２２を貫通して前記柱体１１の固定孔１１２に螺合される少なくとも１つの固定ボルト１２３とを備える。尚、本考案では、前記固定ボルト１２３の緩みを防ぐために、前記柱体１１の外側面とばね１２２との間に、または、固定板１２０の外側面と固定ボルト１２３との間にそれぞれワッシャー１２４を設置することが好ましい。さらに、その各支持部材１における同じ側の固定板１２０に形成された複数の設置孔１２１はそれぞれ対応するものである。
【００１６】
前記足部１３は、矩形の中空の棒体１３０と、調整ボルト１３１とを有し、その内、該棒体１３０は、前記柱体１１の底端の開口に移動可能に挿設され、その上方に、位置した前記固定ボルト１２３を収容するための、上部をＵ字形に切り欠いた収容凹部１３３が形成されると共に、長手方向に沿って間隔をおいて複数の位置決め孔１３２が形成され、一方、該調整ボルト１３１は、該柱体１１の調整孔１１３を通って選択可能に1つの該位置決め孔１３２に螺合され、これにより、該棒体１３０を柱体１１に固定させる。
【００１７】
図３乃至図５に示すように、前記複数の横木２はそれぞれ、前記各支持部材１における同じ側の２つの支持柱１０を跨ぐように、該２つの支持柱１０の固定板１２０の設置孔１２１に嵌設され、該各横木２の両端近傍の内側面に、係合溝２１が形成され、該係合溝２１は、対応する前記柱体１１の突縁部１１１に係合される。
【００１８】
図６及び図７に示すように、横木２を各支持部材１における２つの支持柱１０を跨ぐように設置する時は、先ず保持部材１２の固定ボルト１２３を少し緩めて、ばね１２２の付勢力により固定板１２０を少し外側へ押し出し、横木２の端部を固定板１２０の設置孔１２１に差し込み、突縁部１１１を係合溝２１に係合させ、更に、固定ボルト１２３を締め付ければ、横木２を柱体１１と固定板１２０との間に挟持固定する。
【００１９】
図８に示すように、本考案に係る雪囲いは、各支持柱１０の下部に調整可能な足部１３が取り付けられることから、芝や樹木などの様々な植物に応じて高さを変更することができる。その足部１３を調整する時は、植物の高さに応じて棒体１３０を柱体１１に対して移動させながら適当な高さを調整すると共に、該柱体１１の調整孔１１３を棒体１３０の位置決め孔１３２に合せ、調整ボルト１３１を柱体１１の調整孔１１３及び棒体１３０の位置決め孔１３２に挿入して締め付けて柱体１１と棒体１３０とを固定する。
【００２０】
上述したように、本考案に係る雪囲いは、支持部材１において２つの支持柱１０は枢設される構成であるので、展開角度を自由に且つ簡単に調整することができると共に、該支持柱１０における調整可能な足部１３により、支持部材１の高さも自由に且つ簡単に変更することができるので、高さや幅の異なる多種の植物に適用することができる。
【００２１】
また、本考案に係る雪囲いでは、複数の横木２を支持部材１から取り外して、支持部材１における枢設される２本の支持柱１０を分解することができることから、雪囲いの体積を縮小させることができるので、収納し易いと共に、搬送にも便利である。
【産業上の利用可能性】
【００２２】
本考案に係る雪囲いは上記の構成を有することから、植物を覆うように、外側に設置することにより、雪の重さや寒さから植物を守る以外に、降雪期間以外の時には、日よけとしても使用でき、更に、横木の設置数を調整すれば、物干しや漬物用素材の天日干しにも使用できる。また、該支持部材の２本の支持柱を１８０度に展開すれば、物干し台として使用できる。
【符号の説明】
【００２３】
１      支持部材
１０    支持柱
１１    柱体
１１０  フタ
１１１  突縁部
１１２  固定孔
１１３  調整孔
１２    保持部材
１２０  固定板
１２１  設置孔
１２２  ばね
１２３  固定ボルト
１２４  ワッシャー
１３    足部
１３０  棒体
１３１  調整ボルト
１３２  位置決め孔
１３３  収容凹部
２      横木
２１    係合溝
【図１】
0003171516.tif 000003
【図２】
0003171516.tif 000004
【図３】
0003171516.tif 000005
【図４】
0003171516.tif 000006
【図５】
0003171516.tif 000007
【図６】
0003171516.tif 000008
【図７】
0003171516.tif 000009
【図８】
0003171516.tif 000010
【図９】
0003171516.tif 000011